(57)【要約】【課題】操作性に優れるとともに美観の向上を図る上で有利なレンズキャップを提供する。【解決手段】押圧用板部６６を操作することで係止爪６７が鏡筒１０６の先端の内周壁に係脱し、レンズキャップ１０が鏡筒１０６に装脱される。レンズキャップ１０を鏡筒１０６から取り外す際に、ケース１２の円板部２２の孔２６から突出する円筒部４６の先端を押圧操作すると、係合凸部４８０２が係合凹部４５０２から外れ、紐１６がリール３８により巻き取られ、レンズキャップ１０は取付金具１２６に近接した箇所に位置し、レンズキャップ１０はぶらつかなくなる。【選択図】図３
2007156306.tif 000002
【特許請求の範囲】
【請求項１】
撮像装置の鏡筒の先端に装着されるレンズキャップであって、
前記鏡筒の先端に着脱可能に装着されるケースと、
前記ケースに設けられた巻き取り用操作部材と、
前記ケースの内部に設けられ前記巻き取り用操作部材の操作により紐状の部材を巻き取る巻取り機構と、
一端が前記巻取り機構に連結され他端が前記ケースから露出する紐と、
を備えることを特徴とするレンズキャップ。
【請求項２】
前記巻取り機構は、紐の巻取りを可能としたリールと、前記紐を巻き取る方向に前記リールを付勢する付勢手段とを含んで構成されていることを特徴とする請求項１記載のレンズキャップ。
【請求項３】
前記巻取り機構は、紐の巻取りを可能としたリールと、前記紐を巻き取る方向に前記リールを付勢する付勢手段と、紐が所定長繰り出された際に前記リールに係合して前記紐を巻き取る方向への前記リールの回転をロックし前記巻き取り用操作部材の操作で前記ロックが解除されるロック機構とを含んで構成されていることを特徴とする請求項１記載のレンズキャップ。
【請求項４】
前記巻取り機構は、紐の巻取りを可能としたリールと、前記紐を巻き取る方向に前記リールを付勢する付勢手段とを備え、前記紐は前記リールを一周する長さで形成され、前記紐の全長が前記リールから繰り出された状態と、前記紐が前記リールに１周に巻回された状態とで前記リールに係合して前記紐を巻き取る方向への前記リールの回転をロックし前記巻き取り用操作部材の操作で前記ロックが解除されるロック機構とを含んで構成されていることを特徴とする請求項１記載のレンズキャップ。
【請求項５】
前記ケースに、前記鏡筒の先端への前記レンズキャップの着脱を行うための着脱用操作部材が設けられ、前記ケースに、前記着脱用操作部材の操作により前記鏡筒の先端へ係脱する着脱機構が設けられていることを特徴とする請求項１記載のレンズキャップ。
【請求項６】
前記ケースに、前記鏡筒の先端への前記レンズキャップの着脱を行うための着脱用操作部材が設けられ、前記ケースに、前記着脱用操作部材の操作により前記鏡筒の先端へ係脱する着脱機構が設けられ、前記巻き取り用操作部材と着脱用操作部材は単一の部材で形成されていることを特徴とする請求項１記載のレンズキャップ。
【発明の詳細な説明】
【技術分野】
【０００１】
本発明はレンズキャップに関する。
【背景技術】
【０００２】
ビデオカメラなどの撮像装置の鏡筒に保持されている撮影レンズを保護するために、鏡筒の先端に着脱可能に装着されるレンズキャップが提供されており、多くの場合、レンズキャップは、紛失防止用の紐を介して撮像装置に連結されている。
ところで、撮像装置を用いて撮影を行なう際には、レンズキャップを鏡筒から取り外すため、レンズキャップが紐を介して撮像装置から垂れ下がることになる。そのため、撮像装置を動かす毎にレンズキャップが撮像装置にぶつかって異音が生じたり、鏡筒を下方に向けた際に、レンズキャップが撮影レンズの前方に位置して撮影されてしまったりするなど撮影の邪魔になる不都合が生じる。
このような不都合を解消するために、撮像装置のグリップベルトにレンズキャップに連結された紐が一定の抵抗をもって移動可能に挿通される通し穴を設け、その通し穴に紐を通すことにより、レンズキャップを鏡筒から取り外した際には、レンズキャップに連結された紐の端部とは反対側の端部を引っ張ることにより、レンズキャップを通し穴近傍のグリップベルト部分で保持するようにしたレンズキャップが提案されている（特許文献１参照）。
【特許文献１】特開２０００-１９４０３５号公報
【発明の開示】
【発明が解決しようとする課題】
【０００３】
しかしながら、このように通し穴に紐を通したレンズキャップでは、レンズキャップを鏡筒から取り外す毎に紐を引っ張る操作を行わなくてはならないので、操作が煩わしい欠点がある。
また、レンズキャップをグリップベルト部分で保持した状態で通し穴から垂れ下がった紐が美観を損ねる不都合がある。
また、撮像装置の多くは画像データや音声データを記録するために磁気テープカセットや光ディスクなどの記録媒体を用いており、この記録媒体は開閉蓋により開閉される収容部に装脱される構成となっており、開閉蓋を閉塞する際に、通し穴から垂れ下がった紐が開閉蓋と収容部との間に挟まれるといった不都合もある。
本発明はこのような事情に鑑みなされたものであり、その目的は、操作性に優れるとともに美観の向上を図る上で有利なレンズキャップを提供することにある。
【課題を解決するための手段】
【０００４】
上述の目的を達成するため、本発明は、撮像装置の鏡筒の先端に装着されるレンズキャップであって、前記鏡筒の先端に着脱可能に装着されるケースと、前記ケースに設けられた巻き取り用操作部材と、前記ケースの内部に設けられ前記巻き取り用操作部材の操作により紐状の部材を巻き取る巻取り機構と、一端が前記巻取り機構に連結され他端が前記ケースから露出する紐とを備えることを特徴とする。
【発明の効果】
【０００５】
そのため、本発明によれば、レンズキャップを鏡筒から取り外す際に、巻き取り用操作部材を操作すると、紐巻き取り機構により巻き取られ、レンズキャップはぶらつかなくなる。
したがって、レンズキャップが紐状の部材の長さの範囲で移動して撮影の邪魔になることがなく、紐が撮像装置の開閉蓋に挟まれる不具合もなく、レンズキャップの操作性および撮像装置の操作性の向上を図る上で有利となり、撮像装置の美観を高める上でも有利となる。
【発明を実施するための最良の形態】
【０００６】
（第１の実施の形態）
次に本発明の実施の形態について図面を参照して説明する。
図１はレンズキャップ１０が装着された撮像装置１００の斜視図、図２はレンズキャップ１０が取り外された撮像装置１００の斜視図である。
本実施の形態の撮像装置１００はビデオカメラである。
図１、図２に示すように、撮像装置１００は、外装を構成し左右方向の幅よりも大きな寸法の前後方向の長さおよび上下方向の高さを有するケース１０２を有している。
ケース１０２の上部の前部には、撮影光学系１０４が組み込まれた鏡筒１０６が前面から前方に臨んで設けられている。撮影光学系１０４が最も前方に位置する箇所には撮影レンズ１０５が配置されている。
撮影光学系１０４によって捉えられた被写体像はケース１０２内部に設けられた不図示の撮像素子で撮像される。
ケース１０２の上部の後部には前記撮像素子によって撮像された被写体像を視認するためのビューファインダー（電子式ファインダー）１０８が後面から後方に臨んで設けられている。
ケース１０２の左側部には、前記撮像素子によって撮像された被写体像などを表示するための例えば液晶表示装置からなるディスプレイパネルが開閉可能に設けられている。
ケース１０２の右側部には、画像データや音声データを記録するディスク状記録媒体２が装脱可能に収容される収容部１１０が設けられ、収容部１１０を開閉する開閉蓋１１２が揺動可能に設けられている。
また、ケース１２の右側面には、前後方向に延在するグリップベルト１２０が設けられている。
グリップベルト１２０は、両端がケース１２の前部と後部に連結されたベルト本体１２２と、ベルト本体１２２の中間箇所を覆う甲当てパッド１２４とを有し、ベルト本体１２２の両端寄り箇所には取付金具１２６が設けられている。
【０００７】
図３はレンズキャップ１０の分解斜視図、図４（Ａ）はレンズキャップ１０の平面図、（Ｂ）は（Ａ）のＢ矢視図、（Ｃ）は（Ａ）のＣ矢視図、（Ｄ）は（Ａ）のＤ矢視図、図５（Ｅ）は図４（Ａ）のＥ矢視図、（Ｆ）は（Ｅ）のＦ矢視図である。
図６（Ａ）、（Ｂ）はリール３８の係合凹部４５０２と巻き取り用操作部材１８の係合凸部４８０２の説明図である。
図１、図２に示すように、レンズキャップ１０は鏡筒１０６の先端に位置する撮影レンズ１０５を保護するものであり、鏡筒１０６の先端に装脱可能に設けられ、レンズキャップ１０は、図３に示すように、ケース１２と、巻取り機構１４と、紐１６と、巻き取り用操作部材１８と、着脱用操作部材２０などを含んで構成され、紐１６の一端は取り付け金具２８３０に取着されている。
【０００８】
図３乃至図５に示すように、ケース１２は、円板部２２と、円板部２２の内面の外周から起立する筒状部２４とを有している。
円板部２２の中央には孔２６が貫通形成され、円板部２２の内面には孔２６に沿って第１内周壁２８が設けられ、第１内周壁２８の外側に第２内周壁３０が設けられている。
筒状部２４の対向する２箇所には切り欠き３４が設けられている。
また、筒状部２４には紐挿通孔３６が貫通形成されている。
【０００９】
巻き取り機構１４は、リール３８と、ねじりコイルばね４０（付勢手段）とを含んで構成されている。
リール３８は、内周壁４２と、外周壁４４と、それら内周壁４２と外周壁４４とを接続する環状壁４５を有しており、外周壁４４が紐１６を巻き取る巻き胴となっている。
紐１６は、その一端が筒状部２４の紐挿通孔３６および外周壁４４の孔４４０２を通り内周壁４２と外周壁４４との間に取着されている。
リール３８は、ケース１２の円板部２２の内面に向かい合わされ、外周壁４４の内周が第２内周壁３０で回転可能に支持され、ねじりコイルばね４０はそのコイル部が内周壁４２の内周面に沿って配設され、一端が第１内周壁２８の欠部２８０２に係止され、他端が内周壁４２の欠部４２０２に係止され、これによりリール３８は、紐１６を外周壁４４で巻き取る方向に常時付勢されている。
【００１０】
巻き取り用操作部材１８は、孔２６に挿通される円筒部４６と、円筒部４６の基部から円筒部４６の半径方向外方に突設された２つの脚部４８とを有している。
円筒部４６の内部には基部側に開放された孔４６０２が形成されている。
円筒部４６はリール３８の内周壁４２の内側、すなわち、ねじりコイルばね４０のコイル部の内側を通り、孔２６に挿通されている。
【００１１】
ケース１２の筒状部２４の後端にはカバー５０が取着されている。
図３、図５（Ｆ）に示すように、カバー５０は、リール３８よりも大きな外径で形成された円板状の板部５２と、板部５２がケース１２に臨む面に突設された円弧状の一対のガイド片５４と、板部５２がケース１２に臨む面に設けられた一対の凹部５５と、板部５２がケース１２と反対側に臨む面の互いに対向する箇所から突設された円弧状の一対の壁部５６とを備えている。
壁部５６の延在方向の両端で板部５２に臨む箇所には、ガイド溝５６０２が形成されている。
図３に示すように、カバー５０は、板部５２が筒状部２４の内側に押し込まれ、板部５２の外周部が、筒状部２４の内周面に設けられた第１の突起２４１０と第２の突起２４１２とにより挟まれることで筒状部２４に軸方向に移動不能に取着されている。
また、壁部５６の両端が、筒状部２４の延在方向の両端の係止壁２４１４に係止することで、カバー５０は筒状部２４に回転不能に取着されている。
【００１２】
そして、板部５２と円板部２２との間に、リール３８、巻き取り用操作部材１８、ねじりコイルばね４０、圧縮コイルばね５８が配設されている。
すなわち、巻き取り用操作部材１８は、円筒部４６の先端が孔２６に挿通され、２つの脚部４８は凹部５５に収容され、円筒部４６の基部は一対のガイド片５４で軸方向に移動可能に支持され、これにより巻き取り用操作部材１８は軸方向に移動可能に、かつ、孔２６の周方向に回転不能に配設される。
また、図６(Ａ)，(Ｂ)に示すように、巻き取り用操作部材１８の２つ脚部４８のうちの一方の脚部４８には、リール３８の環状面４５に設けられた係合凹部４５０２に係脱可能な係合凸部４８０２が形成されている。
係合凸部４８０２は、リール３８が紐１６を繰り出す方向に回転したときに係合凹部４５０２に係合しない傾斜面４８０２Ａと、リール３８が紐１６を巻き取る方向に回転したときに係合凹部４５０２に係合する起立面４８０２Ｂとで構成されている。
本実施の形態では、紐１６は外周壁４４を１周する長さで形成され、紐１６の全長がリール３８から繰り出された際に、リール３８が紐１６を巻き取る方向に付勢されていることから係合凸部４８０２の起立面４８０２Ｂと係合凹部４５０２とが係合し、紐１６が繰り出された状態にロックされるように構成されている。
そして、板部５２と巻き取り用操作部材１８の円筒部４６の基端との間に、円筒部４６の先端を孔２６から円板部２２の外側に突出させる圧縮コイルばね５８が設けられ、この圧縮コイルばね５８により係合凸部４８０２は係合凹部４５０２に没入する方向に付勢されている。
したがって、本実施の形態では、係合凸部４８０２と係合凹部４５０２と圧縮コイルばね５８により、紐１６を巻き取る方向へのリール３８の回転をロックし巻き取り用操作部材１８の操作で前記ロックが解除されるロック機構が構成されている。
【００１３】
図３、図５（Ｆ）に示すように、着脱用操作部材２０は、弾性変形可能な楕円状のリング部６０と、リング部６０の長軸を通る２箇所に形成された突起６２と、リング部６０の短軸を通る２箇所から突設された基板部６４と、基板部６４の先端側に設けられた押圧用板部６６とを備えている。
基板６４には、鏡筒１０６の先端の内周壁に係合する係止爪６７が設けられている。
各基板部６４には、それらが対向する箇所に開口するスプリング収容溝６８が形成されている。
リング部６０の突起６２は、カバー５０の壁部５６の溝５６０４に挿入され、基板部６４は壁部５６のガイド溝５６０２に挿通され、これにより着脱用操作部材２０は軸方向に移動不能にかつ回転不能にカバー５０に取着され、この状態で一対の押圧用板部６６はケース１２の筒状部２４の切り欠き３４内に位置している。
また、各基板部６４のスプリング収容溝６８にコイルスプリング７０が挿入され、このコイルスプリング７０により一対の押圧用板部６６は離れる方向に常時付勢されており、押圧用板部６６は基板部６４の基端の両側の突起６４０２が壁部５６の内面に当接することで外方への限界位置が決定されている。
本実施の形態では、リング部６０、基板部６４、係止爪６７により鏡筒１０６の先端に係脱する着脱機構が構成されている。
【００１４】
本実施の形態によれば、押圧用板部６６を押圧操作することで係止爪６７が鏡筒１０６の先端の内周壁から離れ、レンズキャップ１０を鏡筒１０６から取り外すことができる。
また、押圧用板部６６を押圧した状態でレンズキャップ１０を鏡筒１０６の先端に挿入し、押圧用板部６６から指を離すことで係止爪６７が鏡筒１０６の先端の内周壁に押圧され、レンズキャップ１０が鏡筒１０６の先端に装着される。
そして、レンズキャップ１０を鏡筒１０６から取り外す際に、ケース１２の円板部２２の孔２６から突出する円筒部４６の先端を押圧操作すると、係合凸部４８０２が係合凹部４５０２から外れ、紐１６がリール３８により巻き取られ、図２に示すように、レンズキャップ１０は取付金具１２６に近接した箇所に位置し、レンズキャップ１０はぶらつかなくなる。
したがって、円筒部４６を押圧操作することでレンズキャップ１０は取付金具１２６に近接した箇所に位置し、レンズキャップ１０は従来のように紐１６の長さの範囲で移動することはなく、撮影の邪魔にならず、紐が開閉蓋１１２に挟まれる不具合もなく、レンズキャップ１０の操作性および撮像装置１００の操作性の向上を図る上で有利となり、撮像装置１００の美観を高める上でも有利となる。
また、円筒部４６を単に押圧操作することで、紐１６がリール３８により巻き取られるので、紐１６の巻き取り操作も簡単に行なえ、レンズキャップ１０の操作性を向上する上で有利となる。
【００１５】
（第２の実施の形態）
次に第２の実施の形態について説明する。
図７は第２の実施の形態のレンズキャップ１０の要部を示す説明図である。
第２の実施の形態では、巻き取り用操作部材１８と着脱用操作部材２０を単一の部材で形成したものであり、着脱用操作部材２０を巻き取り用操作部材１８として兼用したものである。
すなわち、カバー５０のガイド片５４が、第１の実施の形態と異なって円筒状に形成され、カバー５０の板部５２が、第１の実施の形態と異なって円板の両側を切りかかれた形状で形成されている。
カバー５０の板部５２には、半径方向に延在する開口５２１０が設けられている。
そして、着脱用操作部材２０の２つの基板部６４のうちの一方の基板部６４に係合凸部４８０２が設けられ、この係合凸部４８０２は開口５２１０に挿入され、リール３８の係合凹部４５０２に係合している。すなわち、係合凸部４８０２は、第２の実施の形態では、リール３８の半径方向に移動する。
第１の実施の形態と同様に、係合凸部４８０２の一方の面は、傾斜面４８０２Ａで形成され、他方の面は起立面４８０２Ｂで形成されている。
第２の実施の形態でも、紐１６は外周壁４４を１周する長さで形成され、紐１６の全長がリール３８から繰り出された際に、リール３８が紐１６を巻き取る方向に付勢されていることから係合凸部４８０２の起立面４８０２Ｂと係合凹部４５０２とが係合し、紐１６が繰り出された状態にロックされるように構成されている。
したがって、押圧用操作部６６の操作により、第１の実施の形態と同様に、係止爪６７が鏡筒１０６の先端の内周壁に係脱され、レンズキャップ１０が鏡筒１０６に装脱される。
同時に、押圧用操作部材６６の操作により、係合凸部４８０２が開口５２１０内をリール３８の半径方向に沿って移動し、係合凹部４５０２から外れ、紐１６がリール３８により巻き取られ、図２に示すように、レンズキャップ１０は取付金具１２６に近接した箇所に位置し、レンズキャップ１０はぶらつかなくなる。
このような第２の実施の形態によっても第１の実施の形態と同様な効果が奏される他、着脱用操作部材２０を巻き取り用操作部材１８として兼用したので、部品点数の削減化およびコストダウンを図る上でも有利となる。
【００１６】
なお、本発明は、レンズキャップに、巻き取り用操作部材、巻取り機構、紐を設けたことに特徴を有するものであり、巻き取り用操作部材の操作により紐状の部材を巻き取る巻取り機構や、紐が所定長繰り出された際にリールに係合して紐を巻き取る方向へのリールの回転をロックし巻き取り用操作部材の操作でロックが解除されるロック機構や、着脱用操作部材の操作により鏡筒１０６の先端へ係脱する着脱機構などは、実施の形態の構造に限定されず、従来公知の様々な構成が採用可能である。
【図面の簡単な説明】
【００１７】
【図１】レンズキャップ１０が装着された撮像装置１００の斜視図である。
【図２】レンズキャップ１０が取り外された撮像装置１００の斜視図である。
【図３】レンズキャップ１０の分解斜視図である。
【図４】（Ａ）はレンズキャップ１０の平面図、（Ｂ）は（Ａ）のＢ矢視図、（Ｃ）は（Ａ）のＣ矢視図、（Ｄ）は（Ａ）のＤ矢視図である。
【図５】（Ｅ）は図４（Ａ）のＥ矢視図、（Ｆ）は（Ｅ）のＦ矢視図である。
【図６】（Ａ）、（Ｂ）はリール３８の係合凹部４５０２と巻き取り用操作部材１８の係合凸部４８０２の説明図である。
【図７】第２の実施の形態のレンズキャップ１０の要部を示す説明図である。
【符号の説明】
【００１８】
１０……レンズキャップ、１２……ケース、１４……巻取り機構、１６……紐、１８……巻き取り用操作部材、１００……撮像装置、１０６……鏡筒。
【図１】
2007156306.tif 000003
【図２】
2007156306.tif 000004
【図３】
2007156306.tif 000005
【図４】
2007156306.tif 000006
【図５】
2007156306.tif 000007
【図６】
2007156306.tif 000008
【図７】
2007156306.tif 000009